(57)【特許請求の範囲】
【請求項１】
施工面に形成される埋め込み孔を介して前記施工面の表面側から背面側へ埋め込み設置される照明器具であって、
互いに対向する第一の一対の壁部及び互いに対向する第二の一対の壁部を有して略四角筒状に形成され、前記埋め込み孔を挿通する灯具本体と、
前記灯具本体内に配設される光源ユニットと、
前記光源ユニットに点灯電力を供給する電源部と、
前記第一の一対の壁部の各壁部にそれぞれ設けられ、前記埋め込み孔の内周面に対向してこの内周面に圧接する第一の固定ばねと、
前記第二の一対の壁部の一方の壁部に設けられ、前記埋め込み孔の内周面に対向してこの内周面に圧接する第二の固定ばね、及び他方の壁部から突出して前記埋め込み孔の内周面に対向するリブとを備えることを特徴とする照明器具。
【請求項２】
前記リブは、前記施工面の表面側から背面側へ向かうに従って前記埋め込み孔の内周面側へ傾斜する傾斜部を有することを特徴とする請求項１記載の照明器具。
【請求項３】
前記リブは、前記施工面の背面側から表面側へ向かうに従って前記埋め込み孔の内周面側へ傾斜する傾斜部を有することを特徴とする請求項１記載の照明器具。
【請求項４】
前記第一の固定ばねは、照明器具の重心を通る直線上に設けられることを特徴とする請求項１乃至３いずれか記載の照明器具。
【発明の詳細な説明】
【技術分野】
【０００１】
本発明は、照明器具に関するものである。
【背景技術】
【０００２】
従来から、施工面に形成される埋め込み孔を介して前記施工面の表面側から背面側へ埋め込み設置される所謂埋め込み型の照明器具が提供されていた（例えば、特許文献１参照）。
【０００３】
上記照明器具は、下面が開口した灯具本体と、灯具本体内に収納されて開口から露出する光源ブロックと、当該光源ブロックに点灯電力を供給する電源部と、灯具本体の外周面に複数設けられて埋め込み孔の内周面に対向する弾性を有した固定ばねとを備えている。そして、各固定ばねが、埋め込み孔の内周面に圧接することで照明器具が施工面内に固定されている。
【０００４】
ここで、図５に示すように、円筒状の灯具本体１０１の外周面に２つの固定ばね１１１が設けられた照明器具では、当該照明器具に対する保持力が不足して照明器具を確実に固定できない虞があった。
【０００５】
また、図６に示すように、円筒状の灯具本体１０１の外周面に略等間隔に３つの固定ばね１１１を設けた照明器具では、３つの固定ばね１１１によって照明器具に対する保持力を十分に確保できると共に、バランスよく照明器具を固定することができる。
【０００６】
一方、図７に示すように、照明器具が備える灯具本体１０２が四角筒状である場合、３つの固定ばね１１１では照明器具をバランス良く固定することができなかった。
【０００７】
ここで、灯具本体１０２が略四角筒状である場合に照明器具をバランスよく固定する方法としては、灯具本体１０２を構成する４つの壁部１０２ａに固定ばね１１１をそれぞれ１つずつ設ける第一の方法が考えられる。
【０００８】
また、四角筒状の灯具本体１０２を有する照明器具をバランス良く固定する第二の方法としては、図７に示すように、互いに対向する一対の壁部１０２ａにそれぞれ固定ばね１１１を２つ並設する方法が考えられる。
【先行技術文献】
【特許文献】
【０００９】
【特許文献１】特開平１０−０８３７１４号公報
【発明の概要】
【発明が解決しようとする課題】
【００１０】
しかしながら、四角筒状の灯具本体１０２を有する照明器具をバランス良く固定する上記第一、第二の方法では、いずれにおいても固定ばね１１１が４つ用いられており、照明器具に対する保持力が過剰なものとなっていた。
【００１１】
本発明は、上記事由に鑑みてなされたものであり、その目的は、四角筒状の灯具本体を有する照明器具を適切な力でバランス良く固定することにある。
【課題を解決するための手段】
【００１２】
上記課題を解決するために本発明の照明器具は、施工面に形成される埋め込み孔を介して前記施工面の表面側から背面側へ埋め込み設置される照明器具であって、互いに対向する第一の一対の壁部及び互いに対向する第二の一対の壁部を有して略四角筒状に形成され、前記埋め込み孔を挿通する灯具本体と、前記灯具本体内に配設される光源ユニットと、前記光源ユニットに点灯電力を供給する電源部と、前記第一の一対の壁部の各壁部にそれぞれ設けられ、前記埋め込み孔の内周面に対向してこの内周面に圧接する第一の固定ばねと、前記第二の一対の壁部の一方の壁部に設けられ、前記埋め込み孔の内周面に対向してこの内周面に圧接する第二の固定ばね、及び他方の壁部から突出して前記埋め込み孔の内周面に対向するリブとを備えることを特徴とする。
【００１３】
この照明器具において、前記リブは、前記施工面の表面側から背面側へ向かうに従って前記埋め込み孔の内周面側へ傾斜する傾斜部を有することが好ましい。
【００１４】
また、この照明器具において、前記リブは、前記施工面の背面側から表面側へ向かうに従って前記埋め込み孔の内周面側へ傾斜する傾斜部を有することが好ましい。
【００１５】
また、この照明器具において、前記第一の固定ばねは、照明器具の重心を通る直線上に設けられることが好ましい。
【発明の効果】
【００１６】
本発明では、四角筒状の灯具本体を有する照明器具を適切な力でバランス良く固定することができるという効果がある。
【図面の簡単な説明】
【００１７】
【図１】本発明の実施形態における照明器具の斜視図を示す。
【図２】同上における照明器具の分解斜視図を示す。
【図３】同上における照明器具の側面図を示す。
【図４】同上における照明器具の別形態の要部拡大図を示す。
【図５】従来例における照明器具の概略図を示す。
【図６】同上における照明器具の別形態における概略図を示す。
【図７】同上における照明器具の別形態における概略図を示す。
【発明を実施するための形態】
【００１８】
以下、本発明の実施の形態を図面に基づいて説明する。
【００１９】
（実施形態）
本実施形態の照明器具について図１〜３を用いて説明を行う。以下、図１における上下左右方向を基準とし、上下左右方向に直交する方向を前後方向として説明を行う。
【００２０】
本実施形態の照明器具は、図１〜３に示すように、所謂埋め込み型の照明器具であって、取り付け板１と、光源ブロック２と、灯具本体３と、固定ばね４と、気密パッキン５と、放熱ブロック６と、電源部７と、コネクタブロック８とを備える。
【００２１】
取り付け板１は、放熱性を有する、例えばアルミ等の金属材料から略円柱板状に形成され、下面に図示しない円柱状の凹部が形成されている。また、取り付け板１には、上面の中心から下面の中心まで挿通する挿通孔１ａが形成されている。
【００２２】
また、取り付け板１は、上面の外周部分に、略半円状に切り欠かれた切り欠き部１１が複数形成され、更に、取り付け板１には、切り欠き部１１と上下方向において連通する挿通孔１１ａが形成される。
【００２３】
光源ブロック２は、ＬＥＤが実装されたＬＥＤ基板（光源ユニット）２１と、当該ＬＥＤ基板２１を収納する反射板２２と、反射板２２に被着される透明板２３とから構成される。
【００２４】
ＬＥＤ基板２１は、下面に図示しないＬＥＤが実装されて配線パターンが形成された円板状に形成され、その中心に挿通孔２１ａが形成されている。
【００２５】
反射板２２は、白色材料から上面が開口した円筒状に形成され、底面の略中央からは開口へ向けて、内径部にねじ孔２２１ａが形成された円筒状の突部２２１が形成されている。また、反射板２２の底面からは、突部２２１の周囲を囲む円環状のリブ２２２が形成されている。
【００２６】
そして、ＬＥＤ基板２１のＬＥＤ実装面（下面）を反射板２２の底面に対向させた状態で、反射板２２の突部２２１がＬＥＤ基板２１の挿通孔２１ａを挿通し、ＬＥＤ基板２１が、反射板２２のリブ２２２上に載置される。ここで、反射板２２の下面には、ＬＥＤ基板２１のＬＥＤと対向する箇所に挿通孔２２ａが形成されている。
【００２７】
続いて、ＬＥＤ基板２１が載置された反射板２２は、取り付け板１の下面に形成された凹部内に収納される。
【００２８】
そして、ねじ７８が、取り付け板１の挿通孔１ａを挿通して反射板２２における突部２２１のねじ孔２２１ａに嵌め合わされる。更に、ねじ７５が取り付け板１の上面周縁近傍に形成される複数の挿通孔１ｂを挿通して反射板２２の上端に形成されるねじ孔２２ｃに嵌め合わされることで反射板２２が取り付け板１にねじ留め固定される。つまり、ＬＥＤ基板２１は、取り付け板１の凹部底面と、反射板２２との間に収納される。
【００２９】
透明板２３は、透光性を有する材料から上面が開口した円筒状に形成されており、その周壁２３ａの内面が、反射板２２の下面の周縁に形成される段部２２ｂに嵌合して固定される。
【００３０】
灯具本体３は、アルミダイカストにより両端が開放した略四角筒状に形成されて白色塗装が施されている、なお、灯具本体３は、白色樹脂から形成されていてもよい。そして、灯具本体３における外周面の下端には外方向へ突出するフランジ部３ａが形成され、上端面において、取り付け板１の挿通孔１１ａと対向する箇所には、上下方向に沿ってねじ孔３ｂが形成されている。ここで、灯具本体３は、左右方向において互いに対向する一対の壁部（第一の壁部）３０Ａと、前後方向において互いに対向する一対の壁部（第二の壁部）３０Ｂとから構成される。
【００３１】
そして、灯具本体３は、その内径部に当該内径部を上下に２分する隔壁３１が形成されており当該隔壁には略矩形状の貫通孔３１ａが形成されている。また、灯具本体３は、隔壁３１よりも下側の内径部が、開口へ向かうに従って拡径されている。
【００３２】
また、一対の壁部３０Ａの前方側には、上下方向に長い溝部３２が形成されており、当該溝部３２の下端側には、ガイド片３３が形成されている。ガイド片３３は、その内面が、溝部３２の側壁と壁部３０Ａとに当接する。
【００３３】
更に、一対の壁部３０Ｂの内、後方の壁部３０Ｂ２の略中央には、上記溝部３２及びガイド片３３が同様に設けられている。
【００３４】
また、一対の壁部３０Ｂの内、前方の壁部３０Ｂ１には、リブ３０ａが左右方向に複数（本実施形態では３つ）並設されている。
【００３５】
リブ３０ａは、上方から下方へ向かうに従って前方へ傾斜する傾斜面（傾斜部）３０ｂを有して略三角形の板状に形成されている。
【００３６】
また、灯具本体３の隔壁３１の上面には、円環状のパッキン３１１が載置され、当該パッキン３１１上に光源ブロック２（透明板２３）が載置される。そして、ねじ３３が、取り付け板１の挿通孔１１ａを挿通して灯具本体３のねじ孔３ｂに嵌め込まれることによって、灯具本体３が取り付け板１にねじ留め固定される。
【００３７】
固定ばね４は、略帯板状の金属板が折曲されることで略Ｌ字状に形成され、灯具本体３に固定される基部４１と、基部４１の下端が外側方向へ折曲されてなるばね部４２とから構成される。
【００３８】
基部４１は、先端（上端）側に略コの字状の孔部４１ａが形成されて、当該孔部４１ａ内に先端（上端）部が自由端となる位置決め片４１ｂが形成される。ここで、位置決め片４１ｂは、その先端に内側（灯具本体３側）へ折曲されてなる爪片４１ｃが形成されている。
【００３９】
そして、基部４１が、溝部３２の底面とガイド片３３との間に挿し込まれて、爪片４１ｃが溝部３２の底面に形成される図示しない位置決め孔に嵌まり込むことで、固定ばね４が灯具本体３に位置決め固定される。
【００４０】
また、ばね部４２は、その基端側（基部４１側）に厚み方向に略Ｓ字状に湾曲する湾曲部４２ａが形成されて弾性を有している。
【００４１】
気密パッキン５は、略円環状に形成されてその内径部を灯倶本体３が挿通し、灯具本体３におけるフランジ部３ａと、後述する施工面９との間に介装される。
【００４２】
放熱ブロック６は、アルミニウム若しくは銅等の金属材料から形成され、取り付け板１における上面の略半分の領域（本実施形態では、上面の後ろ半分）に設けられている。なお、放熱ブロック６は、取り付け板１と一体に形成されていてもよい。そして、放熱ブロック６は、略矩形板状に形成されて取り付け板１の上面を略二分するベース板６１と、ベース板６１の後面に複数形成される放熱フィン６２とから構成される。
【００４３】
ベース板６１は、その前面に上下方向に長い放熱リブ６１１が左右方向に複数並設されており、当該複数の放熱リブ６１１によって、ベース板６１の強度が高められる共に、表面積が増加し放熱性能が向上している。また、複数の放熱リブ６１１の内、左右方向の両端に位置する放熱リブ６１１Ａには、上端面から下方向へねじ孔６１１ａがそれぞれ形成されている。
【００４４】
また、ベース板６１の左右方向における各端部の下端には、上下方向が軸方向となる略矩形筒状の挿入孔部６３が形成されている。
【００４５】
電源部７は、ＬＥＤ基板２１に点灯電力を供給するための電源回路が実装された電源基板７１と、当該電源基板７１を収納する基板ケース７２と、電源基板７１と基板ケース７２との間に介装される絶縁シート７３とから構成される。
【００４６】
電源基板７１は、下面に背の高い部品が実装されている。
【００４７】
基板ケース７２は、電源基板７１が配置されるケース本体７２１と、取り付け板１に固定されるケースカバー７２２とから略矩形箱型に形成される。
【００４８】
ケース本体７２１は、矩形状の天板７２１ａと、天板７２１ａの前端から下方へ延設される側板７２１ｂと、天板７２１ａの前後両端からそれぞれ下方へ延設されてなる側板７２１ｃとから構成される。そして、側板７２１ｃの後端部からは、下方へ向けて突片７２１ｅが形成されている。
【００４９】
突片７２１ｅは、上端から下端へ向かうに従って徐々に幅狭となっており下端側は幅が一定に形成されている。これにより、突片７２１ｅは、挿入孔部６３に挿抜される際に上端側が受ける応力に対しての強度が高められている。
【００５０】
そして、ケース本体７２１内には、当該ケース本体７２１の内面に沿って絶縁シート７３が設けられている。電源基板７１の上面と絶縁シート７３との間には、図示しない熱伝導性樹脂が充填されている。つまり、電源基板７１の上面が全面に亘って天板７２１ａに、熱伝導性樹脂及び絶縁シート７３を介して面接触している。そして、ねじ７４が、電源基板７１の隅部に形成される挿通孔７１ａを挿通して天板７２１ａに形成されるねじ孔７２１ｄに嵌め込まれることで、電源基板７１が天板７２１ａにねじ留め固定される。
【００５１】
ケースカバー７２２は、略矩形状の底板７２２ａと、当該底板７２２ａの左右両端からそれぞれ上方へ延設されてなる側板７２２ｂとから略コの字状に形成されている。そして、ケースカバー７２２は、放熱ブロック６に隣接して取り付け板１上に配設される。
【００５２】
そして、底板７２２ａの略中央には、図示しない挿通孔が形成され、ねじ７９が当該挿通孔を挿通して取り付け板１の上面に形成されるねじ孔１ｃに嵌め合わされることで、ケースカバー７２２が取り付け板１に固定される。
【００５３】
そして、ケース本体７２１とケースカバー７２２とが、側板７２１ｃの外面に側板７２２ｂの内面が対向した状態で互いに嵌め合わされる。その際、ケース本体７２１の側板７２１ｂが、底板７２２ａの前端に形成される略矩形状の切り欠き部７２２ｃに挿し込まれる。
【００５４】
その際、ケース本体７２１に形成された突片７２１ｅは、放熱リブ６１１Ａ及びベース板６１に当接した状態で、放熱ブロック６に設けられた挿入孔部６３の内径部に挿通して嵌め込まれる。
【００５５】
更に、ケース本体７２１における天板７２１ａは、後側の各隅部近傍に挿通孔７２１ｆが形成されており、当該挿通孔７２１ｆを挿通して放熱リブ６１１Ａのねじ孔に嵌め合わされるねじ７６によって、ケース本体７２１が放熱ブロック６にねじ留め固定される。
【００５６】
コネクタブロック８は、ケース本体７２１の側板７２１ｂに配設されるコネクタ本体８１と、当該コネクタ本体８１に覆設されるコネクタカバー８２とから構成される。
【００５７】
コネクタ本体８１は、略直方体状に形成され、前面には図示しない給電コネクタ（電源電線）が接続される入力端子部が設けられ、右側面には出力端子部８１１が設けられている。また、コネクタ本体８１の後面からは、図示しない一対の位置決めピンがそれぞれ立設されている。また、コネクタ本体８１における左右側面の後端部には、先端部が拡幅されて後面側（基板ケース７２）側へ突出する一対の係合突起８１ａが各々形成されている。
【００５８】
そして、係合突起８１ａが、側板７２１ｂに形成される係合孔７２１ｉを挿通係合すると共に、一対の位置決めピンが側板７２１ｂに形成される一対の挿通孔７２１ｇに挿し込まれることで、コネクタ本体８１がケース本体７２１に位置決めされる。
【００５９】
続いて、ねじ７７が、側板７２１ｂに形成される挿通孔７２１ｈを挿通してコネクタ本体８１の後面に形成される図示しないねじ孔に嵌め込まれることで、コネクタ本体８１がケース本体７２１にねじ留め固定される。
【００６０】
また、出力端子部８１１に図示しないリード線の一端が接続され、当該リード線が側板７２１ｂの側縁部形成される略円形の切り欠き部７２１ｊを挿通して、リード線の他端が電源基板７１の入力端子に接続される。
【００６１】
コネクタカバー８２は、樹脂材料等から後面が開口した略矩形箱型に形成されコネクタ本体８１に覆設される。ここで、コネクタカバー８２の前面には、コネクタ本体８１の入力端子部と対向する箇所に一対の挿通孔８２ａが形成されている。また、コネクタカバー８２の前面には、一対の挿通孔８２ａの周囲を囲む環状の壁部からなるコネクタ挿入口８２ｂが突設されている。
【００６２】
そして、コネクタ挿入口８２ｂに対して、給電コネクタ（電源電線）が挿入されて当該給電プラグが入力端子部に接続されることで、コネクタ本体８１を介して電源基板７１の入力端子部に電源が供給され、電源基板７１がＬＥＤ基板２１に点灯電力を出力する。これにより、ＬＥＤ基板２１に実装されたＬＥＤが点灯する。
【００６３】
上記構成からなる本実施形態の照明器具を、図１に示すように、施工面９に埋め込み設置する際、まず、各固定ばね４のばね部４２を灯具本体３側へ撓ませる。そして、照明器具をばね部４２の先端側から、施工面９に形成される矩形状の埋め込み孔９１へ挿し入れる。
【００６４】
また、リブ３０ａには、上方から下方へ向かうに従って前方へ傾斜する傾斜面３０ｂが形成されている。そのため、照明器具を埋め込み孔９１へ挿し入れる際、埋め込み孔９１における開口周縁部が、リブ３０ａの傾斜面３０ｂ上を摺動して、照明器具を埋め込み孔９１へより容易に挿し入れることができる。
【００６５】
そして、一対の壁部３０Ａの各面にそれぞれ設けられた固定ばね４の湾曲部４２ａが、埋め込み孔９１の内壁９１ｂに圧接することで、照明器具に対する左右方向の保持力を十分に得ることができる。
【００６６】
また、壁部３０Ｂ２に設けられた固定ばね４の湾曲部４２ａが、埋め込み孔９１の内壁９１ｂに圧接することで、照明器具が前方（図３における左方向）へ付勢され、リブ３０ａにおける傾斜面３０ｂの下端部が、埋め込み孔９１の内壁９１ｂに線接触する。ここで、リブ３０ａは、内壁９１ｂに線接触していることから、当該内壁に対する接圧が大きくなっている。そのため、壁部３０Ｂ２に設けられた固定ばね４が、埋め込み孔９１の内壁９１ｂに圧接し、更に、リブ３０ａが、埋め込み孔９１の内壁９１ｂに線接触することで、照明器具に対する前後方向の保持力を十分に得ることができる。
【００６７】
従って、本実施形態の照明器具は、前後左右方向の保持力を十分に得ることができるため、適切な力でバランスよく埋め込み固定される。
【００６８】
また、本実施形態の照明器具は、当該照明器具の構成部品の中で重量物である電源部７
が前方側に配設されていることから、重心が前方寄りとなっている。ここで、本実施形態の照明器具では、一対の壁部３０Ａにそれぞれ設けられた固定ばね４が、壁部３０Ａの中央よりも前方寄りの重心に近い箇所に設けられている。詳しく説明すると、一対の壁部３０Ａにそれぞれ設けられた固定ばね４は、一対の壁部３０Ａの対向方向で重心を通る直線上に位置している。これにより、照明器具が、よりバランス良く固定される。
【００６９】
また、本実施形態では、リブ３０ａが上方から下方へ向かうに従って前方へ傾斜する傾斜面３０ｂを有している。しかし、当該傾斜部３０ｂを形成する代わりに、図４に示すように、下方から上方へ向かうに従って前方（図４における左方向）へ傾斜する傾斜面３０ｃをリブ３０ａに形成してもよい。この場合、傾斜面３０ｃが、埋め込み孔９１の内壁９１ｂに線接触して照明器具に対して上方向の力が加わる。つまり、照明器具に対して重力方向とは逆向きの力が働くことから、照明器具をより安定して固定することができる。
【符号の説明】
【００７０】
２  光源ブロック
３  灯具本体
４  固定ばね
６  放熱ブロック
７  電源部
９  施工面
２１  ＬＥＤ基板（光源ユニット）
３０ａ  リブ
３０ｂ  傾斜面（傾斜部）
９１  埋め込み孔
【図１】
0005411790.tif 000002
【図２】
0005411790.tif 000003
【図３】
0005411790.tif 000004
【図４】
0005411790.tif 000005
【図５】
0005411790.tif 000006
【図６】
0005411790.tif 000007
【図７】
0005411790.tif 000008